(57)【要約】 【課題】  高画質の画像を短時間で得ることができる撮影装置を提供する。【解決手段】  撮影レンズ１０１を経由してＣＣＤ１０２に結像された被写体を表わす画像データをＣＤＳＡＭＰ１０３で処理してＡ／Ｄ回路１０４から出力されたＣＣＤ−ＲＡＷデータを画像メモリ１５３に記憶し、記憶されたＣＣＤ−ＲＡＷデータを読み出し、現像パラメータ取得回路１１２で取得した現像パラメータに基づく現像処理を現像処理回路１１１で行なって画像データを生成し、生成された画像データに基づく画像をＬＣＤモニタ１３に表示する。【選択図】  図２
2007134958.tif 000002
【特許請求の範囲】
【請求項１】
撮像素子で被写体光を捉えて画像データに加工する前のローデータを生成し、現像パラメータに基づく現像処理により画像データに加工する撮影装置において、
前記ローデータを記憶する記憶部と、
前記ローデータを現像処理するための現像パラメータを取得する取得部と、
前記記憶部からローデータを読み出し前記取得部で取得した現像パラメータに基づく現像処理を行なって画像データを生成する現像部と、
前記現像部で生成された画像データに基づく画像を表示する表示部とを備えたことを特徴とする撮影装置。
【請求項２】
ユーザによって入力操作される操作子を備え、前記取得部は、ユーザによる操作子の操作により現像パラメータを取得するものであることを特徴とする請求項１記載の撮影装置。
【請求項３】
前記取得部は、外部装置から送信されてきた現像パラメータを受信することにより、現像パラメータを取得するものであることを特徴とする請求項１記載の撮影装置。
【請求項４】
前記現像部で生成された画像データを外部装置に向けて送信する画像送信部を備えたことを特徴とする請求項１記載の撮影装置。
【請求項５】
外部装置から送信されてきたローデータを受信するデータ受信部を備えたことを特徴とする請求項１記載の撮影装置。
【請求項６】
前記取得部は、外部装置から送信されてきた現像パラメータを受信することにより該現像パラメータを取得するものであり、さらに
この撮影装置は、前記現像部で生成された画像データを外部装置に向けて送信する送信部を備え、該送信部は、受信した現像パラメータが前記現像部での現像処理に不適合な現像パラメータであったときは、該外部装置に向けて、画像データに代わり、エラーメッセージを送信するものであることを特徴とする請求項１記載の撮影装置。
【請求項７】
外部装置から送信されてきたローデータを受信するデータ受信部と、前記現像部で生成された画像データを外部装置に向けて送信する送信部とを備え、該送信部は、受信したローデータが前記現像部での現像処理に不適合なローデータであったときは、該外部装置に向けて、画像データに代わり、エラーメッセージを送信するものであることを特徴とする請求項１記載の撮影装置。
【発明の詳細な説明】
【技術分野】
【０００１】
本発明は、撮像素子で被写体光を捉えて画像データに加工する前のローデータを生成し、現像パラメータに基づく現像処理により画像データに加工する撮影装置に関する。
【背景技術】
【０００２】
従来より、撮影装置の一つであるデジタルカメラで撮影された画像をゲーム機や携帯電話に取り込み、ゲームのキャラクタや携帯電話の待ち受け画面に使用するということが行なわれている。ここで、デジタルカメラ側における画素数とゲーム機や携帯電話側における画素数とは異なるため、場合によっては、ゲーム機や携帯電話で必要とされる画像データの何倍もの画像データがデジタルカメラから送られることとなり、不経済であるという問題がある。
【０００３】
そこで、ゲーム機等の周辺機器で使用するアプリケーションプログラムに関連したキャラクタのサイズ，解像度，表示色等の特有情報を周辺機器からデジタルカメラに送り、デジタルカメラでは送られた特有情報に基づいて画像データを処理して周辺機器に出力するという技術が提案されている（特許文献１参照）。この技術によれば、例えば様々な解像度を持つ周辺機器に向けて、その周辺機器の解像度に見合った画像データをデジタルカメラで加工して送信することができる。
【特許文献１】特開２００４−３２５８４号公報
【発明の開示】
【発明が解決しようとする課題】
【０００４】
しかし、上述した特許文献１に提案された技術は、デジタルカメラで撮像して得られた被写体像を表わす画像データを、ＪＰＥＧ方式等を採用して圧縮処理してメモリに記憶しておき、そのメモリに記憶された画像データを読み出し、読み出された画像データを、周辺機器から送られてきた解像度等の特有情報に基づいて処理して周辺機器に送信するものであるため、周辺機器には、例えば階調による制限や劣化した画像データが送信されることとなる。従って、周辺機器では高画質の画像を得ることは困難である。
【０００５】
近年、一眼レフタイプのデジタルカメラ等では、撮像素子で光電変換されたままのローデータ（ＣＣＤ−ＲＡＷデータと称する）を保存する機能を持っており、このＣＣＤ−ＲＡＷデータを現像するための専用のソフトウェアをパーソナルコンピュータにインストールし、このソフトウェアを使用してデジタルカメラに保存されているＣＣＤ−ＲＡＷデータをそのパーソナルコンピュータに取り込み、そのパーソナルコンピュータ内でホワイトバランス（色温度）や露出（画像の明暗や輝度）等のパラメータ（現像パラメータ）を変更し、変更された現像パラメータに基づいてＣＣＤ−ＲＡＷデータをデジタル的に現像処理するということが行なわれている。このようにすることにより、撮影時には適正な状態が得られなくても、撮影後に色調の変化を強調したり鮮やかな色彩を強調する等の現像処理を施して適正な状態の画像を得ることができる。また、ＲＧＢ各色の階調が８ビット（２５６階調）に制限されるＪＰＥＧ形式による処理と比較し、階調による制限や画像データの劣化等がない高画質な画像を得ることができる。
【０００６】
しかし、このような画像を得るにあたり、デジタルカメラからパーソナルコンピュータにＣＣＤ−ＲＡＷデータを送信し、そのパーソナルコンピュータにインストールされている専用のソフトウェアを使用して現像パラメータを変更してＣＣＤ−ＲＡＷデータを現像処理するため、手間が多く、従って高画質の画像を得るまでに長時間が必要である。
【０００７】
本発明は、上記事情に鑑み、高画質の画像を短時間で得ることができる撮影装置を提供することを目的とする。
【課題を解決するための手段】
【０００８】
上記目的を達成する本発明の撮影装置は、撮像素子で被写体光を捉えて画像データに加工する前のローデータを生成し、現像パラメータに基づく現像処理により画像データに加工する撮影装置において、
上記ローデータを記憶する記憶部と、
上記ローデータを現像処理するための現像パラメータを取得する取得部と、
上記記憶部からローデータを読み出し上記取得部で取得した現像パラメータに基づく現像処理を行なって画像データを生成する現像部と、
上記現像部で生成された画像データに基づく画像を表示する表示部とを備えたことを特徴とする。
【０００９】
本発明の撮影装置は、ローデータが記憶された記憶部からローデータを読み出し、取得部で取得した現像パラメータに基づく現像処理を現像部で行なって画像データを生成し、生成された画像データに基づく画像を表示するものである。このため、従来の、パーソナルコンピュータにローデータ（ＣＣＤ−ＲＡＷデータ）を現像するための専用のソフトウェアをインストールし、そのソフトウェアを使用してデジタルカメラからパーソナルコンピュータにローデータを送信し、そのパーソナルコンピュータ内で現像パラメータを変更してローデータを現像処理する場合と比較し、手間が削減され高画質の画像を短時間で得ることができる。
【００１０】
ここで、ユーザによって入力操作される操作子を備え、上記取得部は、ユーザによる操作子の操作により現像パラメータを取得するものであることが好ましい。
【００１１】
このようにすると、本発明の撮影装置の操作子で現像パラメータを取得することができ、従って高画質の画像をさらに短時間で得ることができる。
【００１２】
また、上記取得部は、外部装置から送信されてきた現像パラメータを受信することにより、現像パラメータを取得するものであることも好ましい態様である。
【００１３】
このようにすると、詳細な現像パラメータを取得することができ、従って画像データを詳細に加工することができる。
【００１４】
さらに、上記現像部で生成された画像データを外部装置に向けて送信する画像送信部を備えたものであることも好ましい。
【００１５】
このような画像送信部を備えると、この撮影装置で生成された画像データを外部装置に向けて送信することができる。
【００１６】
また、外部装置から送信されてきたローデータを受信するデータ受信部を備えたものであることも好ましい。
【００１７】
このようなデータ受信部を備えると、外部装置から送信されてきたローデータを、この撮影装置で現像処理して画像データに加工することができる。
【００１８】
さらに、上記取得部は、外部装置から送信されてきた現像パラメータを受信することによりその現像パラメータを取得するものであり、さらに
この撮影装置は、上記現像部で生成された画像データを外部装置に向けて送信する送信部を備え、その送信部は、受信した現像パラメータが前記現像部での現像処理に不適合な現像パラメータであったときは、その外部装置に向けて、画像データに代わり、エラーメッセージを送信するものであることも好ましい。
【００１９】
このようにすると、外部装置から送信されてきた現像パラメータが現像処理に不適合な現像パラメータであったときは、その旨を、その外部装置に向けて送信することができる。
【００２０】
また、外部装置から送信されてきたローデータを受信するデータ受信部と、上記現像部で生成された画像データを外部装置に向けて送信する送信部とを備え、その送信部は、受信したローデータが上記現像部での現像処理に不適合なローデータであったときは、その外部装置に向けて、画像データに代わり、エラーメッセージを送信するものであってもよい。
【００２１】
このようにすると、外部装置から送信されてきたローデータが現像処理に不適合なローデータであったときは、その旨を、その外部装置に向けて送信することができる。
【発明の効果】
【００２２】
本発明の撮影装置によれば、高画質の画像を短時間で得ることができる。
【発明を実施するための最良の形態】
【００２３】
以下、本発明の実施の形態について説明する。
【００２４】
以下、本発明の実施の形態について図を参照して構成を説明する。
【００２５】
図１は、本発明の撮影装置の第１実施形態であるデジタルカメラを上方から見た上面図（図１（ａ））、正面から見た正面図（図１（ｂ））および背面から見た背面図（図１（ｃ））である。
【００２６】
このデジタルカメラ１は、撮像素子であるＣＣＤで被写体光を捉えて画像データに加工する前のローデータを生成し、現像パラメータに基づく現像処理により画像データに加工するデジタルカメラである。このデジタルカメラ１は、図１（ａ），図１（ｂ）に示すようにカメラボディ１ａの中央にレンズ鏡胴１０が配備されている。また、このカメラボディ１ａの上面にはパワーボタン１１が配備されており、このパワーボタン１１が操作されたら、図１（ａ），（ｂ）に示すようにレンズ鏡胴１０が繰出されて撮影準備が整えられるようになっている。
【００２７】
さらに、カメラボディ１ａ上面には、電源投入用のパワーボタン１１のほか、レリーズボタン１２とそのレリーズボタン１２の廻りに撮影モードダイヤル１２０とが配備されており、この撮影モードダイヤル１２０がＡＵＴＯに切り替えられているときにレリーズボタン１２が押されて撮影が行なわれるときにはデジタルカメラ１内部に自動的に撮影条件が設定されて撮影が行なわれる。また、この撮影モードダイヤル１２０が動画撮影モード（符号Ｍ）に切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００２８】
また、図１（ｃ）に示すように、カメラボディ１ａの背面側には、ＬＣＤパネル１３が設けられており、撮影モード時には、このＬＣＤパネル１３上に被写体が表示されたり、メニューが表示されたりする。この撮影モードにあるときにＬＣＤパネル１３の脇にある再生ボタン１４が一度押されると、再生モードに切り替わり既撮影画像がＬＣＤパネル１３上に表示され、この再生ボタン１４が再度押されると、撮影モードに切り替わりスルー画像がＬＣＤパネル１３上に表示される。また、このＬＣＤパネル１３は、本発明にいう表示部の一例に相当し、後述する現像処理回路１１１で生成された画像データに基づく画像が表示される。さらに、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００２９】
また、そのＦボタン１５の下方には十字キー１６やＯＫ／メニューボタン１７およびＤＩＳＰ／ＢＡＣＫボタン２１が配備され上方にはズームスイッチ１８が配備されている。
【００３０】
さらに、図１（ｂ）に示すカメラボディ１ａの正面には測光センサ１９０や閃光発光窓１９１が配備されており、閃光発光が必要な場合にはその閃光発光窓１９１から閃光が被写体に向けて発光されるようになっている。
【００３１】
図２は、図１に示すデジタルカメラの内部の構成を示す構成ブロック図である。
【００３２】
この図２を参照して撮影モード時の画像データの流れについて説明する。尚、このデジタルカメラ１では、再生ボタン１４によって撮影と再生との切り替えが自在になっており、パワーボタン１１が操作された時点では、図２に示す撮影側１４ａに切り替えられた状態にあり、この状態で再生ボタン１４が押されると図２に示す再生側１４ｂに切り替えられる。
【００３３】
また、このデジタルカメラ１は、画像データの記録方式として、撮像素子であるＣＣＤ１０２からのデータをそのままの状態で記録する「ＣＣＤ−ＲＡＷデータ記録モード」と、所定の信号処理を施した後にＪＰＥＧ方式等を採用して圧縮して記録する「圧縮記録モード」を有し、選択的に設定できるようになっている。この記録方式の設定は、メニュー画面から行なうことができる。最初の時点では、「圧縮記録モード」に設定されているものとして説明する。
【００３４】
先ず、ＬＣＤモニタ１３上に表示されるスルー画を表わす画像データの流れについて説明する。このデジタルカメラ１の動作は統括的にＣＰＵ１００に制御されている。このＣＰＵ１００の指示に従って、図２に示す各部（ＣＣＤ以降の回路および撮影レンズを駆動する回路）が処理を実行する。
【００３５】
先ず、図１に示すレンズ鏡胴１０に内蔵されている撮影レンズ１０１によってＣＣＤ１０２に被写体が結像されＣＣＤ１０２で被写体を表わす画像データが生成されＣＤＳ（Ｃｏｒｅｌｌａｔｉｏｎ  Ｄｏｕｂｌｅ  Ｓａｍｐｌｉｎｇ）ＡＭＰ１０３へと出力される。このＣＤＳＡＭＰ１０３でＣＣＤ１０２から出力されたときに画像データに重畳されたサンプリングノイズが低減されてＡ／Ｄ回路１０４に画像データが供給される。さらに、Ａ／Ｄ回路１０４でアナログの画像データからデジタルの画像データに変換され、これによりＡ／Ｄ回路１０４からＣＣＤ−ＲＡＷデータ（本発明にいうローデータに相当）が出力される。このＣＣＤ−ＲＡＷデータは、画像信号処理回路１０５および画像メモリ１５３（本発明にいう記憶部の一例に相当）に入力される。
【００３６】
さらに、画像信号処理回路１０５でＣＣＤ−ＲＡＷデータからＹＣ信号への変換が行なわれる。その後、画像再生処理回路１０６にバス１００１を介して画像データが転送され、その画像再生処理回路１０６で処理された画像データがＬＣＤドライブ回路１０７へと供給される。そのＬＣＤドライブ回路１０７で画像データに基づいてＬＣＤモニタ１３が駆動され、そのＬＣＤモニタ１３上に画像データに基づく被写体が表示される。このＬＣＤモニタ１３上に表示される被写体が所定の間隔ごとに切り替えられて表示されるので、撮影レンズ１０１が捉えた被写体がそのまま、つまり撮影レンズ１０１からＬＣＤモニタ１３上にスルー画像がＬＣＤモニタ１３上に表示される。
【００３７】
また、バス１００１を介して入力されたＹＣ信号がビデオエンコード回路１１３でＮＴＳＣ（Ｎａｔｉｏｎａｌ  ＴＶ  Ｓｔａｎｄａｒｄｓ  Ｃｏｍｍｉｔｔｅｅ）方式のビデオ信号に変換されて、ＴＶモニタへ出力される。さらに、図２には、撮影レンズ１０１の中の、レンズ枠に保持されているフォーカスレンズやレンズ枠に保持されているズームレンズを所定の位置に配置するため、レンズ枠に係合しているボールネジ１００３ａを回転させるモータ１００３やそのモータ１００３を駆動するドライバ１００２なども図示され、撮影モードダイヤル１２０が動画に切り替えられたときに音声を録音する音声入力回路１４０や音声処理回路１５０、また動画の再生時に音声を出力する音声再生回路１５１やスピーカ１５２、さらに画像信号処理回路１０５内の測光部の測光により被写界輝度が暗いと判定されたときに閃光を発するフラッシュ発光回路１９ａおよびフラッシュ１９も図示されている。また、パワーボタン１１と再生ボタン１４を除く他の操作子（レリーズボタン１２，Ｆボタン１５，十字キー１６，ＯＫ／メニューボタン１７，撮影モードダイヤル１２０）が、ＣＰＵ１００に指示を与える操作子群として図示されている。
【００３８】
このデジタルカメラ１は、上述したように、最初の時点では「圧縮記録モード」に設定されている。この「圧縮記録モード」において、ＬＣＤモニタ１３上に表示されているスルー画を見ながらレリーズボタン１２が押されて撮影が開始される。すると、ＣＰＵ１００はタイミングジェネレータ（図示せず）を制御してＣＣＤ１０２にレリーズボタン１２の押されたタイミングで露光を開始させ所定のシャッタ速度後に露光を終了させてＣＤＳＡＭＰ１０３へと出力させる。以降、ＲＧＢ信号が画像信号処理回路１０５でＹＣ信号に変換された後、今度は圧縮・伸張処理回路１０８で圧縮処理が行なわれてメディアコントロール回路１０９によって記録メディア１１０に記録される。
【００３９】
次に、「ＣＣＤ−ＲＡＷデータ記録モード」に設定するものとする。ここで、デジタルカメラ１には、「ＣＣＤ−ＲＡＷデータ記録モード」において動作する現像処理回路１１１および現像パラメータ取得回路１１２が備えられている。
【００４０】
現像処理回路１１１は、本発明にいう現像部の一例に相当し、画像メモリ１５３からＣＣＤ−ＲＡＷデータを読み出し現像パラメータ取得回路１１２で取得した現像パラメータに基づく現像処理を行なって画像データを生成する。現像処理回路１１１で生成された画像データに基づく画像は、ＬＣＤモニタ１３に表示される。
【００４１】
現像パラメータ取得回路１１２は、本発明にいう取得部の一例に相当し、ＣＣＤ−ＲＡＷデータを現像処理するための現像パラメータを取得する。ここで、現像パラメータ取得回路１１２は、ユーザによる十字キー１６やＯＫ／メニューボタン１７の操作により現像パラメータを取得するものである。
【００４２】
図３は、図２に示すデジタルカメラの「ＣＣＤ−ＲＡＷデータ記録モード」における処理ルーチンのフローチャートである。
【００４３】
先ず、ステップＳ１において、デジタルカメラ１のヒューマンインターフェースである操作子（十字キー１６やＯＫ／メニューボタン１７）を操作して現像パラメータを入力する。現像パラメータとしては、ホワイトバランスや彩度等のパラメータがある。この現像パラメータは現像パラメータ取得回路１１２で取得される。次に、ステップＳ２において、入力した現像パラメータによって、即ち現像パラメータ取得回路１１２で取得された現像パラメータによって、デジタルカメラ１の画像メモリ１５３内のＣＣＤ−ＲＡＷデータを現像処理回路１１１で現像する。さらに、ステップＳ３において、デジタルカメラ１の画像出力手段であるＬＣＤモニタ１３を利用して現像結果を出力する。次いで、ステップＳ４に進む。
【００４４】
ステップＳ４では、現像処理が終了したか否かが判定される。現像処理が未だ終了していないと判定された場合はステップＳ１に戻る。一方、現像処理が終了したと判定された場合は、この処理ルーチンを終了する。
【００４５】
第１実施形態のデジタルカメラ１は、「ＣＣＤ−ＲＡＷデータ記録モード」に設定されている場合、ＣＣＤ−ＲＡＷデータが記憶された画像メモリ１５３からＣＣＤ−ＲＡＷデータを読み出し、現像パラメータ取得回路１１２で取得した現像パラメータに基づく現像処理を現像処理回路１１１で行なって画像データを生成し、生成された画像データに基づく画像をＬＣＤモニタ１３に表示するものである。このため、従来の、パーソナルコンピュータにＣＣＤ−ＲＡＷデータを現像するための専用のソフトウェアをインストールし、そのソフトウェアを使用してデジタルカメラからパーソナルコンピュータにＣＣＤ−ＲＡＷデータを送信し、そのパーソナルコンピュータ内で現像パラメータを変更してＣＣＤ−ＲＡＷを現像処理する場合と比較し、手間が削減され高画質の画像を短時間で得ることができる。
【００４６】
また、第１実施形態のデジタルカメラ１では、ユーザによる十字キー１６やＯＫ／メニューボタン１７の操作により現像パラメータを即座に取得することができる。従って、高画質の画像をさらに短時間で得ることができる。
【００４７】
次に、本発明の撮影装置の第２実施形態であるデジタルカメラについて説明する。
【００４８】
図４は、本発明の撮影装置の第２実施形態であるデジタルカメラの内部の構成を示す構成ブロック図である。
【００４９】
尚、この図４に示すデジタルカメラ２の外観図は、前述した図１に示すデジタルカメラ１の外観図と同じであるため、図示省略する。
【００５０】
図４に示すデジタルカメラ２は、前述した図２に示すデジタルカメラ１と比較し、現像パラメータ取得回路１１２が現像パラメータ取得回路２１２に置き換えられている点と、ＵＳＢ（Ｕｎｉｖｅｒｓａｌ  Ｓｅｒｉａｌ  Ｂｕｓ）Ｉ／Ｆ部２０１および画像送信回路２０２が追加されている点とが異なっている。
【００５１】
現像パラメータ取得回路２１２は、本発明にいう取得部の他の一例であり、外部装置であるパーソナルコンピュータ（ＰＣと略記する）から送信されてきた現像パラメータを、ＵＳＢＩ／Ｆ部２０１を経由して受信することにより、現像パラメータを取得する。
【００５２】
画像送信回路２０２は、本発明にいう画像送信部の一例に相当し、現像処理回路１１１で生成された画像データを、ＵＳＢＩ／Ｆ部２０１を経由してＰＣに向けて送信する。
【００５３】
ＵＳＢＩ／Ｆ部２０１は、ＵＳＢ規格に準拠したインターフェース部であり、ＵＳＢケーブルを介してＰＣから送信されてきた現像パラメータを、バス１００１を経由して現像パラメータ取得回路２１２に向けて出力したり、画像送信回路２０２からの画像データをバス１００１を経由しＵＳＢケーブルを介してＰＣに送信する。尚、ここでは、ＵＳＢ規格に準拠したインターフェース部の例で説明するが、ＩＥＥＥ１３９４規格に準拠したインターフェース部であってもよい。
【００５４】
図５は、図４に示すデジタルカメラとＰＣとの間で実行される「ＣＣＤ−ＲＡＷデータ記録モード」における処理ルーチンのフローチャートである。
【００５５】
先ず、ステップＳ１１において、ＰＣから「現像開始コマンド」を、ＵＳＢＩ／Ｆ部２０１を経由してデジタルカメラ２に送信する。次いで、ステップＳ１２において、デジタルカメラ２からＰＣへ「現像開始コマンド受諾」を送信する。さらにステップＳ１３において、ＰＣからデジタルカメラ２へ現像パラメータを送信する。
【００５６】
ステップＳ１４では、デジタルカメラ２は受信した現像パラメータに応じて、カメラ内のＣＣＤ−ＲＡＷデータをデジタル的に現像処理する。さらに、ステップＳ１５において、デジタルカメラ２からＰＣへ現像処理された画像を送信する。
【００５７】
次に、ステップＳ１６において、現像処理が終了したか否かがＰＣ側で判定される。現像処理が未だ終了していないと判定された場合はステップＳ１３に戻る。一方、現像処理が終了したと判定された場合はステップＳ１７に進む。
【００５８】
ステップＳ１７では、ＰＣから「現像終了コマンド」を、デジタルカメラ２に送信する。さらに、ステップＳ１８において、デジタルカメラ２からＰＣへ「現像終了コマンド受諾」を送信して、この処理ルーチンを終了する。
【００５９】
第２実施形態のデジタルカメラ２には、ＰＣから送信されてきた現像パラメータをＵＳＢＩ／Ｆ部２０１で受信することにより、現像パラメータを取得する現像パラメータ取得回路２１２が備えられているため、ＰＣ側から詳細な現像パラメータを取得することができる。従って、画像データを詳細に加工することができる。
【００６０】
また、このデジタルカメラ２には、現像処理回路１１１で生成された画像データを、ＰＣに向けてＵＳＢＩ／Ｆ部２０１で送信する画像送信回路２０２が備えられているため、このデジタルカメラ２で生成された画像データをＰＣに向けて送信することができる。
【００６１】
図６は、ＰＣ側の構成を示すブロック図である。
【００６２】
図６に示すＰＣ５００には、このＰＣ５００全体を制御するＣＰＵ５０１と、そのＣＰＵ５０１との間でデータのやり取りを行なうブリッジ回路５０２が備えられている。
【００６３】
ブリッジ回路５０２は、グラフィックスボード５０４を経由してＶＲＡＭ５０５との間で画像データの受け渡しや、メモリ５０３との間でメモリデータの受け渡しを行なうメモリブリッジ５０２＿１を有する。
【００６４】
また、このブリッジ回路５０２は、メモリブリッジ５０２＿１との間で、高性能なシリアル伝送方式のローカルバスの規格であるＰＣＩ（Ｐｅｒｉｐｈｅｒａｌ  Ｃｏｍｐｏｎｅｎｔ  Ｉｎｔｅｒｃｏｎｎｅｃｔ）  Ｅｘｐｒｅｓｓを採用してＩ／Ｏデータの受け渡しを行なうＩ／Ｏブリッジ５０２＿２を有する。このＩ／Ｏブリッジ５０２＿２には、ＵＳＢ２．０の規格を採用したＵＳＢ端子が接続されている。また、このＩ／Ｏブリッジ５０２＿２には、Ｓｅｒｉａｌ  ＡＴＡ（ＡＴ  Ａｔｔａｃｈｍｅｎｔ）規格を採用してデータの受け渡しを行なうハードディスク装置５０６が接続されている。さらに、このＩ／Ｏブリッジ５０２＿２には、ＰＣＩ  Ｅｘｐｒｅｓｓ規格を採用してデータの受け渡しを行なうギガビットＬＡＮボード５０８および拡張ボードであるアドインボード５０９が接続されている。また、このＩ／Ｏブリッジ５０２＿２には、Ｓｕｐｅｒ  ＩＯチップ５１０およびＰＣＩ規格を採用して、後述する現像パラメータや現像画像の受け渡しを行なうカメラ接続用バスインターフェース５０７が接続されている。
【００６５】
図７は、本発明の撮影装置の第３実施形態であるデジタルカメラの内部の構成を示す構成ブロック図である。
【００６６】
図７に示すデジタルカメラ３は、前述した図４に示すデジタルカメラ２と比較し、データ受信回路３０１が追加されている点が異なっている。
【００６７】
データ受信回路３０１は、本発明にいうデータ受信部の一例であり、ＰＣから送信されてきたＣＣＤ−ＲＡＷデータを受信する。
【００６８】
図８は、図７に示すデジタルカメラとＰＣとの間で実行される「ＣＣＤ−ＲＡＷデータ記録モード」における処理ルーチンのフローチャートである。
【００６９】
先ず、ステップＳ２１において、ＰＣから「現像開始コマンド」を、デジタルカメラ３に送信する。次いで、ステップＳ２２において、ＰＣからＣＣＤ−ＲＡＷデータを、デジタルカメラ３に送信する。さらにステップＳ２３において、デジタルカメラ３からＰＣへ「ＣＣＤ−ＲＡＷデータ受諾」を送信する。次いで、ステップＳ２４において、ＰＣからデジタルカメラ３へ現像パラメータを送信する。
【００７０】
ステップＳ２５では、デジタルカメラ３は受信した現像パラメータに応じて、カメラ内のＣＣＤ−ＲＡＷデータを現像処理する。さらに、ステップＳ２６において、デジタルカメラ３からＰＣへ現像結果画像を送信する。
【００７１】
次に、ステップＳ２７において、現像処理が終了したか否かがＰＣ側で判定される。現像処理が未だ終了していないと判定された場合はステップＳ２４に戻る。一方、現像処理が終了したと判定された場合はステップＳ２８に進む。
【００７２】
ステップＳ２８では、ＰＣから「現像終了コマンド」を、デジタルカメラ３に送信する。さらに、ステップＳ２９において、デジタルカメラ３からＰＣへ「現像終了コマンド受諾」を送信して、この処理ルーチンを終了する。
【００７３】
第３実施形態のデジタルカメラ３には、ＰＣから送信されてきたＣＣＤ−ＲＡＷデータを受信するデータ受信回路３０１が備えられているため、ＰＣから送信されてきたＣＣＤ−ＲＡＷデータを、このデジタルカメラ３で現像処理して画像データに加工することができる。
【００７４】
図９は、本発明の撮影装置の第４実施形態であるデジタルカメラの内部の構成を示す構成ブロック図である。
【００７５】
図９に示すデジタルカメラ４は、前述した図７に示すデジタルカメラ３と比較し、画像送信回路２０２が送信回路４０１に置き換えられている点が異なっている。
【００７６】
送信回路４０１は、本発明にいう送信部の他の一例であり、現像処理回路１１１で生成された画像データをＰＣに向けて送信するものであり、この送信回路４０１は、受信した現像パラメータが現像処理回路１１１での現像処理に不適合な現像パラメータであったときは、ＰＣに向けて、画像データに代わり、エラーメッセージを送信するものである。また、この送信回路４０１は、受信したＣＣＤ−ＲＡＷデータが現像処理回路１１１での現像処理に不適合なＣＣＤ−ＲＡＷデータであったときは、ＰＣに向けて、画像データに代わり、エラーメッセージを送信するものでもある。
【００７７】
図１０は、図９に示すデジタルカメラとＰＣとの間で実行される「ＣＣＤ−ＲＡＷデータ記録モード」における処理ルーチンのフローチャートである。
【００７８】
先ず、ステップＳ３１において、ＰＣから「現像開始コマンド」を、デジタルカメラ４に送信する。次いで、ステップＳ３２において、デジタルカメラ４からＰＣへ「現像開始コマンド受諾」を送信する。さらにステップＳ３３において、ＰＣからＣＣＤ−ＲＡＷデータを、デジタルカメラ４に送信してステップＳ３４に進む。
【００７９】
ステップＳ３４では、ＣＣＤ−ＲＡＷデータが対応データであるか否かがデジタルカメラ４で判定される。対応データでないと判定された場合はステップＳ３５に進む。ステップＳ３５では、ＰＣへエラーメッセージを送信してステップＳ３３に戻る。一方、対応データであると判定された場合はステップＳ３６に進む。ステップＳ３６では、デジタルカメラ４からＰＣへ「ＣＣＤ−ＲＡＷデータ受諾」を送信する。次いで、ステップＳ３７において、ＰＣからデジタルカメラ４へ現像パラメータを送信してステップＳ３８に進む。
【００８０】
ステップＳ３８では、現像パラメータが対応パラメータであるか否かがデジタルカメラ４で判定される。対応パラメータでないと判定された場合はステップＳ３９に進む。ステップＳ３９では、ＰＣへエラーメッセージを送信してステップＳ３７に戻る。一方、対応パラメータであると判定された場合はステップＳ４０に進む。ステップＳ４０では、デジタルカメラ４は受信した現像パラメータに応じて、ＣＣＤ−ＲＡＷデータを現像処理する。さらに、ステップＳ４１において、デジタルカメラ４からＰＣへ現像画像を送信してステップＳ４２に進む。
【００８１】
ステップＳ４２では、現像処理が終了したか否かがＰＣ側で判定される。現像処理が未だ終了していないと判定された場合はステップＳ４３に進む。ステップＳ４３では、ユーザの納得がゆくまで、現像処理が繰り返される。一方、現像処理が終了したと判定された場合はステップＳ４４に進む。ステップＳ４４では、ＰＣから「現像終了コマンド」を、デジタルカメラ４に送信する。さらに、ステップＳ４５において、デジタルカメラ４からＰＣへ「現像終了コマンド受諾」を送信して、この処理ルーチンを終了する。
【００８２】
第４実施形態のデジタルカメラ４には、上述した送信回路４０１が備えられているため、受信した現像パラメータが現像処理回路１１１での現像処理に不適合な現像パラメータであったとき、あるいは受信したＣＣＤ−ＲＡＷデータが現像処理回路１１１での現像処理に不適合なＣＣＤ−ＲＡＷデータであったとは、ＰＣに向けて、画像データに代わり、エラーメッセージを送信することができる。
【００８３】
図１１は、本発明の撮影装置の第５実施形態であるデジタルカメラの内部の構成を示す構成ブロック図である。
【００８４】
図１１に示すデジタルカメラ５は、前述した図１１に示すデジタルカメラ４と比較し、ＵＳＢＩ／Ｆ部２０１がＰＣ接続用バスインターフェース５１１に置き換えられている点が異なっている。
【００８５】
ＰＣ接続用バスインターフェース５１１は、前述した図６に示すＰＣ５００に備えられたカメラ接続用バスインターフェース５０７との間で、ＰＣ５００から送信されてきた現像パラメータやＣＣＤ−ＲＡＷデータを、バス１００１を介して現像パラメータ取得回路２１２やデータ受信回路３０１に向けて出力したり、送信回路４０１からの画像データを、バス１００１を介してＰＣ５００に向けて送信するＰＣＩ規格を採用バスインターフェースである。このようなバスインターフェースを採用することにより、このデジタルカメラ５とＰＣ５００との間で現像パラメータや現像画像の受け渡しを高速に行なうことができる。
【００８６】
図１２は、図１１に示すデジタルカメラとＰＣとの間で実行される「ＣＣＤ−ＲＡＷデータ記録モード」における処理ルーチンのフローチャートである。
【００８７】
先ず、ステップＳ５１において、ＰＣから「現像開始コマンド」を、上述したＰＣ接続用バスインターフェース５１１を備えたデジタルカメラ５に送信する。次いで、ステップＳ５２において、デジタルカメラ５からＰＣへ「現像開始コマンド受諾」を送信する。さらにステップＳ５３において、ＰＣからＣＣＤ−ＲＡＷデータを、デジタルカメラ５に送信してステップＳ５４に進む。
【００８８】
ステップＳ５４では、ＣＣＤ−ＲＡＷデータが対応データであるか否かがデジタルカメラ５で判定される。対応データでないと判定された場合はステップＳ５５に進む。ステップＳ５５では、ＰＣへエラーメッセージを送信してステップＳ５３に戻る。一方、対応データであると判定された場合はステップＳ５６に進む。ステップＳ５６では、デジタルカメラ５からＰＣへ「ＣＣＤ−ＲＡＷデータ受諾」を送信する。次いで、ステップＳ５７において、ＰＣからデジタルカメラ５へ現像パラメータを送信してステップＳ５８に進む。
【００８９】
ステップＳ５８では、現像パラメータが対応パラメータであるか否かがデジタルカメラ５で判定される。対応パラメータでないと判定された場合はステップＳ５９に進む。ステップＳ５９では、ＰＣへエラーメッセージを送信してステップＳ５７に戻る。一方、対応パラメータであると判定された場合はステップＳ６０に進む。ステップＳ６０では、デジタルカメラ５は受信した現像パラメータに応じて、ＣＣＤ−ＲＡＷデータを現像処理する。さらに、ステップＳ６１において、デジタルカメラ５からＰＣのビデオメモリに現像結果を送信してステップＳ６２に進む。ステップＳ６２では、デジタルカメラ５からＰＣへ「現像終了コマンド」を送信してステップＳ６３に進む。
【００９０】
ステップＳ６３では、現像処理が終了したか否かがＰＣ側で判定される。現像処理が未だ終了していないと判定された場合はステップＳ６４に進む。ステップＳ６４では、ユーザの納得がゆくまで、画像の加工が繰り返される。一方、現像処理が終了したと判定された場合はステップＳ６５に進む。ステップＳ６５では、ＰＣから「現像終了コマンド」を、デジタルカメラ５に送信する。さらに、ステップＳ６６において、デジタルカメラ５からＰＣへ「現像終了コマンド受諾」を送信して、この処理ルーチンを終了する。
【００９１】
第５実施形態のデジタルカメラ５には、上述したＰＣ接続用バスインターフェース５１１が備えられているため、ＰＣとの間で現像パラメータや現像画像の受け渡しを高速に行なうことができる。従って、現像パラメータに基づいてＣＣＤ−ＲＡＷデータを現像処理により画像データに加工する時間をさらに短縮することができる。
【００９２】
図１３は、図６に示すＰＣの、ＣＣＤ−ＲＡＷデータを現像処理するための現像パラメータの入力画面の一部を示す図である。
【００９３】
図１３に示す、ＰＣ５００に備えられた画面５２０は、デジタルカメラで取り扱われる、色空間のパラメータを設定するための色空間設定部５２１と、トリミング前の全画角画素数（画像サイズ）を設定するための画像サイズ設定部５２２と、変換先フォーマットを設定するためのファイルフォーマット設定部５２３と、変換条件を設定するための変換設定部５２４とを有する。また、この画面５２０には、デジタルカメラによって撮影されたカラーチャートの原画像のＲ値、Ｇ値およびＢ値をそれぞれ表わすトーンカーブＡが示されている。
【００９４】
さらに、この画面５２０は、ホワイトバランスのパラメータを設定するためのホワイトバランス設定部５２５と、増感補正のパラメータを設定するための増感補正設定部５２６と、彩度のパラメータを設定するための彩度設定部５２７と、シャープネスのパラメータを設定するためのシャープネス設定部５２８とを有する。このような画面５２０を使用してホワイトバランスや彩度等のパラメータ（現像パラメータ）を自在に変更してもよい。
【図面の簡単な説明】
【００９５】
【図１】本発明の撮影装置の第１実施形態であるデジタルカメラを上方から見た上面図、正面から見た正面図および背面から見た背面図である。
【図２】図１に示すデジタルカメラの内部の構成を示す構成ブロック図である。
【図３】図２に示すデジタルカメラの「ＣＣＤ−ＲＡＷデータ記録モード」における処理ルーチンのフローチャートである。
【図４】本発明の撮影装置の第２実施形態であるデジタルカメラの内部の構成を示す構成ブロック図である。
【図５】図４に示すデジタルカメラとＰＣとの間で実行される「ＣＣＤ−ＲＡＷデータ記録モード」における処理ルーチンのフローチャートである。
【図６】ＰＣ側の構成を示すブロック図である。
【図７】本発明の撮影装置の第３実施形態であるデジタルカメラの内部の構成を示す構成ブロック図である。
【図８】図７に示すデジタルカメラとＰＣとの間で実行される「ＣＣＤ−ＲＡＷデータ記録モード」における処理ルーチンのフローチャートである。
【図９】本発明の撮影装置の第４実施形態であるデジタルカメラの内部の構成を示す構成ブロック図である。
【図１０】図９に示すデジタルカメラとＰＣとの間で実行される「ＣＣＤ−ＲＡＷデータ記録モード」における処理ルーチンのフローチャートである。
【図１１】本発明の撮影装置の第５実施形態であるデジタルカメラの内部の構成を示す構成ブロック図である。
【図１２】図１１に示すデジタルカメラとＰＣとの間で実行される「ＣＣＤ−ＲＡＷデータ記録モード」における処理ルーチンのフローチャートである。
【図１３】図６に示すＰＣの、ＣＣＤ−ＲＡＷデータを現像処理するための現像パラメータの入力画面の一部を示す図である。
【符号の説明】
【００９６】
１，２，３，４，５    デジタルカメラ
１ａ    カメラボディ
１０    レンズ鏡胴
１１    パワーボタン
１２    レリーズボタン
１３    ＬＣＤモニタ
１４    再生ボタン
１５    Ｆボタン
１６    十字キー
１７    ＯＫ／メニューボタン
１８    ズームスイッチ
１９    フラッシュ
１９ａ    フラッシュ発光回路
２１    ＤＩＳＰ／ＢＡＣＫボタン
１００    ＣＰＵ
１０１    撮影レンズ
１０２    ＣＣＤ
１０３    ＣＤＳＡＭＰ
１０４    Ａ／Ｄ回路
１０５    画像信号処理回路
１０６    画像再生処理回路
１０７    ＬＣＤドライブ回路
１０８    圧縮・伸張処理回路
１０９    メディアコントロール回路
１１０    記録メディア
１１１    現像処理回路
１１２，２１２    現像パラメータ取得回路
１１３    ビデオエンコード回路
１２０    撮影モードダイヤル
１４０    音声入力回路（マイク）
１５０    音声処理回路
１５１    音声再生回路
１５２    スピーカ
１５３    画像メモリ
１６０    電源
１９０    測光センサ
１９１    閃光発光窓
２０１    ＵＳＢＩ／Ｆ部
２０２    画像送信回路
３０１    データ受信回路
４０１    送信回路
５００    ＰＣ（パーソナルコンピュータ）
５０１    ＣＰＵ
５０２    ブリッジ回路
５０２＿１    メモリブリッジ
５０２＿２    Ｉ／Ｏブリッジ
５０３    メモリ
５０４    グラフィックスボード
５０５    ＶＲＡＭ
５０６    ハードディスク装置
５０７    カメラ接続用バスインターフェース
５０８    ギガビットＬＡＮボード
５０９    アドインボード
５１０    Ｓｕｐｅｒ  ＩＯチップ
５１１    ＰＣ接続用バスインターフェース
５２０    ＰＣの画面
５２１    色空間設定部
５２２    画像サイズ設定部
５２３    ファイルフォーマット設定部
５２４    変換設定部
５２５    ホワイトバランス設定部
５２６    増感補正設定部
５２７    彩度設定部
５２８    シャープネス設定部
１００１    バス
１００２    ドライバ
１００３    モータ
１００３ａ    ボールネジ
【図１】
2007134958.tif 000003
【図２】
2007134958.tif 000004
【図３】
2007134958.tif 000005
【図４】
2007134958.tif 000006
【図５】
2007134958.tif 000007
【図６】
2007134958.tif 000008
【図７】
2007134958.tif 000009
【図８】
2007134958.tif 000010
【図９】
2007134958.tif 000011
【図１０】
2007134958.tif 000012
【図１１】
2007134958.tif 000013
【図１２】
2007134958.tif 000014
【図１３】
2007134958.tif 000015